(57)【要約】【課題】試料に対して分析を行う際、その分析を正確に行うことができるクロマトグラフィーシステムを提供すること。【解決手段】クロマトグラフィーシステム１は、液体の試料Ｑが通過する流路１３を有する装置本体１１と、流路１３の途中に配置され、試料Ｑを複数の成分に分離する分析カラム１２１とを備え、複数の分析条件で試料Ｑの分析が可能である。クロマトグラフィーシステム１は、分析条件を複数設定する分析条件設定部１４と、分析条件設定部１４で分析条件が設定された際、流路１３の途中に配置されている分析カラム１２１が、設定された分析条件に適合して使用され得るか否かの良否を判断する判断部１５とを備え、判断部１５での判断結果が良の場合、設定された分析条件での分析の開始が可能となる。【選択図】図１
2020152814.tif 000002
【特許請求の範囲】
【請求項１】
液体の試料が通過する流路を有する装置本体と、前記流路の途中に配置され、前記試料を複数の成分に分離する分析カラムとを備え、複数の分析条件で前記試料の分析が可能なクロマトグラフィーシステムであって、
前記分析条件を複数設定する分析条件設定部と、
前記分析条件設定部で分析条件が設定された際、前記流路の途中に配置されている前記分析カラムが、設定された前記分析条件に適合して使用され得るか否かの良否を判断する判断部とを備え、
前記判断部での判断結果が良の場合、前記設定された分析条件での前記分析の開始が可能となるクロマトグラフィーシステム。
【請求項２】
前記装置本体に配置され、前記各分析条件下で使用されるべき前記分析カラムに関する第１情報を記憶する第１記憶部と、
前記分析カラムに付され、該分析カラムの個体情報である第２情報を記憶する第２記憶部とを備え、
前記判断部は、前記第１情報と前記第２情報とを比較して、前記良否の判断を行う請求項１に記載のクロマトグラフィーシステム。
【請求項３】
前記第２記憶部は、前記判断部に対して電気的に着脱自在に接続される請求項２に記載のクロマトグラフィーシステム。
【請求項４】
前記第１情報を前記第１記憶部に記憶させるとともに、前記第２情報を前記第２記憶部に記憶させる入力操作を行う入力部を備える請求項２または３に記載のクロマトグラフィーシステム。
【請求項５】
前記装置本体は、前記流路に前記分析カラムを複数配置可能であり、
前記判断部は、前記所定の分析条件が設定された際、複数の前記分析カラムうち、前記所定の分析条件下で使用される予定の全ての前記分析カラムに対して、前記良否の判断を行う請求項１ないし４のいずれか１項に記載のクロマトグラフィーシステム。
【請求項６】
前記判断部での判断結果を報知する報知部を備える請求項１ないし５のいずれか１項に記載のクロマトグラフィーシステム。
【発明の詳細な説明】
【技術分野】
【０００１】
本発明は、クロマトグラフィーシステムに関する。
【背景技術】
【０００２】
分析対象である移動相を分析カラムによって複数の成分、すなわち、分析物に分離するクロマトグラフィーシステムが知られている（例えば、特許文献１参照）。
一般的に、クロマトグラフィーシステムでは、移動相の種類や、分析カラムに充填されている固定相の種類等のような分析条件に応じて、分析カラムを適宜交換している。
【先行技術文献】
【特許文献】
【０００３】
【特許文献１】特開２００８−２０９３２７号公報
【発明の概要】
【発明が解決しようとする課題】
【０００４】
しかしながら、所定の分析条件で移動相を分析する際に、例えば作業者が誤って、当該分析条件に適さない分析カラムをクロマトグラフィーシステムに交換して取り付けてしまう場合がある。そして、このまま分析を開始すると、正確な分析結果が得られないという問題が生じる。【０００５】
この発明は上記課題を解決するためになされたものであり、試料に対して分析を行う際、その分析を正確に行うことができるクロマトグラフィーシステムを提供することにある。
【課題を解決するための手段】
【０００６】
本発明の第１の態様は、液体の試料が通過する流路を有する装置本体と、前記流路の途中に配置され、前記試料を複数の成分に分離する分析カラムとを備え、複数の分析条件で前記試料の分析が可能なクロマトグラフィーシステムであって、前記分析条件を複数設定する分析条件設定部と、前記分析条件設定部で分析条件が設定された際、前記流路の途中に配置されている前記分析カラムが、設定された前記分析条件に適合して使用され得るか否かの良否を判断する判断部とを備え、前記判断部での判断結果が良の場合、前記設定された分析条件での前記分析の開始が可能となるクロマトグラフィーシステムに関する。
【発明の効果】
【０００７】
本発明によれば、所定の分析条件で分析を行う際に、当該分析に先立って、判断部が分析カラムの良否の判断を行うことができる。そして、判断部での判断結果が良の場合には、当該分析の開始が可能となる。これにより、当該分析に適合した分析カラムを用いて、試料に対する分析を正確に行うことができ、よって、信頼性の高い分析結果が得られる。
【図面の簡単な説明】
【０００８】
【図１】図１は、発明のクロマトグラフィーシステムの第１実施形態を示す概略図（ブロック図）である。
【図２】図２は、本発明のクロマトグラフィーシステムの第１実施形態を示す概略図（ブロック図）である。
【図３】図３は、図１および図２に示すクロマトグラフィーシステムが備えるシステム管理装置の制御プログラムを示すフローチャートである。
【図４】図４は、本発明のクロマトグラフィーシステムの第２実施形態を示す発明のクロマトグラフィーシステムの実施形態を示す概略図（ブロック図）である。
【図５】図５は、本発明のクロマトグラフィーシステムの第３実施形態を示す発明のクロマトグラフィーシステムの実施形態を示す概略図（ブロック図）である。
【発明を実施するための形態】
【０００９】
以下、本発明のクロマトグラフィーシステムを添付図面に示す好適な実施形態に基づいて詳細に説明する。
＜第１実施形態＞
図１および図２は、それぞれ、本発明のクロマトグラフィーシステムの第１実施形態を示す概略図（ブロック図）である。図３は、図１および図２に示すクロマトグラフィーシステムが備えるシステム管理装置の制御プログラムを示すフローチャートである。
【００１０】
以下では、一例として、クロマトグラフィーシステム１を、液体の試料（移動相）Ｑに対して複数の分析条件で分析を行う液体クロマトグラフィーシステムに適用した場合についてを説明するが、クロマトグラフィーシステム１は、超臨界流体クロマトグラフィーシステムやガスクロマトグラフィーシステムに対しても同様に適用することができる。
【００１１】
図１および図２に示すように、クロマトグラフィーシステム１は、当該クロマトグラフィーシステム１での装置本体１１を構成する送液装置２、オートサンプラ４、カラムオーブン６、検出器８およびシステム管理装置１０と、装置本体１１に対して着脱自在に交換される分析カラム１２１とを備えている。
【００１２】
送液装置２、オートサンプラ４、カラムオーブン６および検出器８は、試料Ｑが流れる方向に沿って、すなわち、上流側から下流側に向かって、この順に配置されている。また、送液装置２、オートサンプラ４、カラムオーブン６および検出器８は、流路１３を構成する配管を介して、接続されている。試料Ｑは、流路１３を通過することができる。
【００１３】
また、システム管理装置１０は、送液装置２、オートサンプラ４、カラムオーブン６および検出器８と電気的に接続されている。このシステム管理装置１０は、例えば、論理演算を実行するＣＰＵ、送液装置２等の制御に必要な動作プログラムが格納されたＲＯＭ、制御時にデータ等が一時的にストアされるＲＡＭ等から構成され、クロマトグラフィーシステム１全体を制御することができる。
【００１４】
送液装置２は、例えば送液ポンプを有し、この送液ポンプによって、流路１３内で試料Ｑを下流側に向かって移送することができる。また、送液ポンプの回転数を変更することにより、試料Ｑの移送速度を調整することができる。
オートサンプラ４は、流路１３に試料Ｑを注入するためのものである。
カラムオーブン６には、分析カラム１２１を装填することができる。これにより、分析カラム１２１は、流路１３の途中に配置された状態となり、オートサンプラ４から注入された試料Ｑを複数の成分に分離することができる。
【００１５】
また、カラムオーブン６は、例えば通電により発熱するヒータを有し、このヒータによって、分析カラム１２１を試料Ｑごと加熱することができる。これにより、試料Ｑの温度を所定の温度に調節することができる。
検出器８は、分析カラム１２１で分離された成分を検出するためのものである。
【００１６】
前述したように、クロマトグラフィーシステム１は、カラムオーブン６に分析カラム１２１を装填して用いられる。クロマトグラフィーシステム１では、試料Ｑの種類や、分析カラム１２１に充填されている固定相の種類等のような分析条件に応じて、分析カラム１２１が適宜交換される。また、分析カラム１２１に経時的な劣化が生じた場合にも、新たな分析カラム１２１に交換される。
【００１７】
そして、分析カラム１２１の交換に際して、例えば作業者が誤って所定の分析条件に適さない分析カラム１２１をカラムオーブン６に装填するおそれがある。この場合、試料Ｑの分析を行っても、正確な分析結果が得られないという不具合が生じる。
そこで、クロマトグラフィーシステム１は、このような不具合を解消可能に構成されている。以下、この構成および作用について説明する。
【００１８】
図１および図２に示すように、クロマトグラフィーシステム１は、システム管理装置１０を備える。このシステム管理装置１０は、分析条件設定部１４と、判断部１５と、入力部１７と、報知部１８と、第１記憶部１６とをを備える。
また、クロマトグラフィーシステム１では、分析カラム１２１は、分析カラム１２１に付された第２記憶部１２２とともにカラムユニット１２を構成する。分析カラム１２１が交換される際には、第２記憶部１２２ごと、その交換が行われる。
【００１９】
分析条件設定部１４は、分析条件を複数設定することができる。分析条件には、例えば、試料Ｑの種類、分析カラム１２１に充填されている固定相の種類等が含まれる。これにより、クロマトグラフィーシステム１は、試料Ｑの分析を複数の分析条件で行うことができる。
【００２０】
例えば、分析対象である試料Ｑが２種類がある場合、一方の試料Ｑの分析を行うときには、分析条件設定部１４によって第１分析条件が設定され、他方の試料Ｑの分析を行うときには、分析条件設定部１４によって第２分析条件が設定される。第１分析条件では、一方の試料Ｑの分析に適合した分析カラム１２１（以下「分析カラム１２１Ａ」という）が用いられ、第２分析条件では、他方の試料Ｑの分析に適合した分析カラム１２１（以下「分析カラム１２１Ｂ」という）が用いられる。分析カラム１２１Ａと分析カラム１２１Ｂとは、内部に充填されている固定相の種類が互いに異なる。また、分析カラム１２１Ａは、カラムユニット１２Ａを構成し、分析カラム１２１Ｂは、カラムユニット１２Ｂを構成する。
【００２１】
第１記憶部１６には、第１情報が記憶されている。第１情報は、各分析条件下で使用されるべき分析カラム１２１に関する情報である。例えば、本実施形態での第１情報としては、第１分析条件で使用される分析カラム１２１が分析カラム１２１Ａであり、第２分析条件で使用される分析カラム１２１が分析カラム１２１Ｂであるという情報となる。
【００２２】
第２記憶部１２２には、第２情報が記憶されている。第２情報は、分析カラム１２１の個体情報である。例えば、本実施形態では、分析カラム１２１は、内部に充填されている固定相の種類によって特定される。そして、第２情報は、分析カラム１２１自体を特定する情報である。この第２情報により、分析カラム１２１は、分析カラム１２１Ａであるのか、または、分析カラム１２１Ｂであるのかが特定される。
【００２３】
図１に示すように、カラムユニット１２Ａでは、分析カラム１２１Ａに、当該分析カラム１２１Ａを特定する第２情報を担持した第２記憶部１２２Ａが付されている。一方、図２に示すように、カラムユニット１２Ｂでは、分析カラム１２１Ｂに、当該分析カラム１２１Ｂを特定する第２情報を担持した第２記憶部１２２Ｂが付されている。
【００２４】
入力部１７は、第１情報を第１記憶部１６に記憶させるとともに、第２情報を第２記憶部１２２に記憶させる入力操作を行うことができる。
入力部１７は、例えば、第１分析条件を行うのに際して、第１識別番号（ＩＤ）を発行する。そして、第１記憶部１６には、第１識別番号が第１情報として入力され、第２記憶部１２２には、第１情報と共通の第１識別番号が第２情報として入力される。これにより、第１分析条件での第１情報と第２情報とが関係付けられる。
【００２５】
これと同様に、入力部１７は、第２分析条件を行うのに際して、第１識別番号と異なる第２識別番号（ＩＤ）を発行する。そして、第１記憶部１６には、第２識別番号が第１情報として入力され、第２記憶部１２２には、第１情報と共通の第２識別番号が第２情報として入力される。これにより、第２分析条件での第１情報と第２情報とが関係付けられる。このように入力部１７は、各分析条件での第１情報と第２情報とを関係付ける「関係付け部」として機能すると言うこともできる。
なお、入力部１７から第１記憶部１６および第２記憶部１２２に入力される情報としては、本実施形態では識別番号であるが、これに限定されず、例えば、分析カラム１２１の内径、分析カラム１２１の長さ、固定相の粒子径や官能基等の分析カラム１２１に関するスペックであってもよい。
また、上記の手法に限定されず、第２記憶部１２２には第２情報が予め登録されており、第２記憶部１２２が接続されることにより入力部１７が第２記憶部１２２に登録されている第２情報を読み出して、第１記憶部１６に登録するようにすることができる。この際に、入力部１７は複数のカラムの各第２記憶部１２２から読み出して第１記憶部１６に記憶しておいた各第２情報の中から、ユーザ操作に基づいて今回の分析条件に使用する第２情報を選択することにより、第１情報として登録することもできる。
【００２６】
システム管理装置１０では、分析条件設定部１４で設定可能な分析条件のうち、所定の分析条件が設定された際、流路１３の途中に配置されている分析カラム１２１が、所定の分析条件に適合して使用され得るか否かの良否を判断することができる。この判断プログラムは、システム管理装置１０に予め記憶されており、判断部１５で実行される。
【００２７】
以下、分析カラム１２１の良否判断を行う判断プログラムについて、図３に示すフローチャートを参照しつつ説明する。ここでは、一例として、第１分析条件で分析を行う場合について説明する。また、判断プログラムは、第１分析条件での分析を開始するのに先立って実行される。
【００２８】
また、図１および図２も適宜参照する。図１に示す状態では、分析カラム１２１Ａが配置され、第２記憶部１２２Ａが判断部１５と電気的に接続されている。図２に示す状態では、分析カラム１２１Ｂが配置されており、第２記憶部１２２Ｂが判断部１５と電気的に接続されている。
【００２９】
まず、分析条件設定部１４によって分析条件を「第１分析条件」に設定する（ステップＳ１０１）。
次いで、判断部１５は、第１記憶部１６から第１情報を呼び出すとともに（ステップＳ１０２）、第２記憶部１２２から第２情報を呼び出す（ステップＳ１０３）。なお、ステップＳ１０２とステップＳ１０３とは、前後関係が逆転して実行されてもよいし、同時に並行して実行されてもよい。
【００３０】
次いで、判断部１５は、第１情報と第２情報とを比較して、第１情報と第２情報とが同じか否かを判断する（ステップＳ１０４）。ステップＳ１０４での判断は、図１に示す状態と、図２に示す状態とで異なる。図１に示す状態では、第１情報と第２情報とは、いずれも第１識別番号となっている。図２に示す状態では、第１情報は、第１識別番号となっているが、第２情報は、第２識別番号となっている。
【００３１】
そして、ステップＳ１０４での判断の結果、第１情報と第２情報とが同じである、すなわち、第１情報と第２情報とがいずれも第１識別番号である場合には、流路１３に配置されている分析カラム１２１は、分析カラム１２１Ａであり、第１分析条件に適合している旨を報知部１８を介して報知する（ステップＳ１０５）。
【００３２】
これに対し、ステップＳ１０４での判断の結果、第１情報と第２情報とが同じではない、すなわち、第１情報が第１識別番号であり、第２情報が第２識別番号である場合には、流路１３に配置されている分析カラム１２１は、第１分析条件に不適合である旨を報知部１８を介して報知する（ステップＳ１０６）。
【００３３】
次いで、装置本体１１に設けられている分析開始ボタン（図示せず）が操作されるまで（ステップＳ１０７）、ステップＳ１０５の状態を維持したまま待機する（ステップＳ１０９）。
一方、ステップＳ１０７において分析開始ボタンが操作された場合には、第１分析条件での分析を開始する（ステップＳ１０９）。
なお、判断プログラムでは、ステップＳ１０７を省略することができる。この場合、ステップＳ１０５実行後、第１分析条件での分析が自動的に開始されてもよい。
【００３４】
以上のように、クロマトグラフィーシステム１では、所定の分析条件で分析を行う際に、当該分析に先立って、判断部１５が分析カラム１２１の良否の判断を行うことができる。そして、判断部１５での判断結果が良の場合には、当該分析の開始が可能となり、否の場合には、当該分析の開始が制限される。これにより、当該分析に適合した分析カラム１２１を用いて、試料Ｑに対する分析を正確に行うことができ、よって、信頼性の高い分析結果が得られる。
【００３５】
前述したように、クロマトグラフィーシステム１では、分析カラム１２１が交換される際、第２記憶部１２２ごと、その交換が行われる。第２記憶部１２２は、判断部１５に対して電気的に着脱自在に接続される。これにより、分析カラム１２１が交換される度に、当該分析カラム１２１の個体情報である第２情報に基づいて、分析カラム１２１の良否判断を正確に行うことができる。
【００３６】
図１および図２に示すように、報知部１８は、判断部１５での判断結果を報知する。報知部１８は、液晶画面１８１を有する。判断部１５での判断結果は、液晶画面１８１に表示されたメッセージ用のフォーム１８２を介して、報知される。
【００３７】
図２に示す状態では、フォーム１８２には、判断部１５での判断結果の他に、分析カラム１２１の交換を促す旨も表示される。これにより、クロマトグラフィーシステム１を使用して分析作業を行う作業者は、分析カラム１２１を適したものに交換することができる。この交換後、判断プログラムを１０１から実行するのが好ましい。
なお、液晶画面１８１は、タッチパネル機能を有していてもよい。
また、報知部１８による判断結果の報知は、画面表示による報知に限定されず、例えば、音声による報知、異なる色の光の組み合わせによる報知等であってもよい。
【００３８】
＜第２実施形態＞
図４は、本発明のクロマトグラフィーシステムの第２実施形態を示す発明のクロマトグラフィーシステムの実施形態を示す概略図（ブロック図）である。
以下、この図を参照して本発明のクロマトグラフィーシステムの第２実施形態について説明するが、前述した実施形態との相違点を中心に説明し、同様の事項はその説明を省略する。
【００３９】
本実施形態は、装置本体の構成が異なること以外は前記第１実施形態と同様である。
図４に示すように、本実施形態では、装置本体１１は、流路１３に複数のカラムユニット１２（分析カラム１２１）を並列に配置することができる。カラムユニット１２の配置数は、図４に示す構成では３つであるが、これに限定されず、２つまたは４つ以上であってもよい。
【００４０】
また、流路１３には、分析カラム１２１よりも上流側に切換え弁１９が配置されている。切換え弁１９により、試料Ｑは、３つのカラムユニット１２のうち、２つのカラムユニット１２を通過したり、３つのカラムユニット１２を通過することができる。すなわち、切換え弁１９により、３つのカラムユニット１２に対して試料Ｑを選択的に流すことができる。
【００４１】
このような構成の装置本体１１を備えるクロマトグラフィーシステム１では、判断部１５は、所定の分析条件が設定された際、３の分析カラム１２１うち、所定の分析条件下で使用される予定の全ての分析カラム１２１に対して、分析カラム１２１の良否の判断を行う（図３に示すフローチャートのステップＳ１０４）。例えば、３つのカラムユニット１２のうち、２つのカラムユニット１２を選択して用いる場合には、当該２つのカラムユニット１２の分析カラム１２１に対してそれぞれ良否の判断を行う。これと同様に、全てのカラムユニット１２を選択して用いる場合にも、当該全てのカラムユニット１２の分析カラム１２１に対してそれぞれ良否の判断を行う。
【００４２】
そして、いずれの場合も、否と判断された分析カラム１２１が１つも存在しない、すなわち、各分析カラム１２１が良と判断されたときに、分析の開始が可能となる。これにより、並列に配置された複数の分析カラム１２１を用いる場合も、試料Ｑに対する分析を正確に行うことができる。また、使用しない分析カラム１２１に対しては、良否判断を省略することができる。これにより、良否判断の処理速度を向上させることができる。
【００４３】
＜第３実施形態＞
図５は、本発明のクロマトグラフィーシステムの第３実施形態を示す発明のクロマトグラフィーシステムの実施形態を示す概略図（ブロック図）である。
以下、この図を参照して本発明のクロマトグラフィーシステムの第３実施形態について説明するが、前述した実施形態との相違点を中心に説明し、同様の事項はその説明を省略する。
本実施形態は、装置本体の構成が異なること以外は前記第２実施形態と同様である。
【００４４】
図５に示すように、本実施形態では、装置本体１１は、流路１３に複数のカラムユニット１２（分析カラム１２１）を直列に配置することができる。カラムユニット１２の配置数は、図５に示す構成では２つであるが、これに限定されず、３つ以上であってもよい。
【００４５】
このような構成の装置本体１１を備えるクロマトグラフィーシステム１では、判断部１５は、所定の分析条件が設定された際、所定の分析条件下で使用される予定の全ての分析カラム１２１、すなわち、前記２つカラムユニット１２の分析カラム１２１に対して良否の判断を行う。
【００４６】
そして、全ての分析カラム１２１が良と判断されたときに、分析の開始が可能となる。これにより、直列に配置された複数の分析カラム１２１を用いる場合も、試料Ｑに対する分析を正確に行うことができる。
【００４７】
以上、本発明のクロマトグラフィーシステムを図示の実施形態について説明したが、本発明は、これに限定されるものではなく、クロマトグラフィーシステムを構成する各部は、同様の機能を発揮し得る任意の構成のものと置換することができる。また、任意の構成物が付加されていてもよい。
また、本発明のクロマトグラフィーシステムは、前記各実施形態のうちの、任意の２以上の構成（特徴）を組み合わせたものであってもよい。
【００４８】
［態様］
上述した複数の例示的な実施形態は、以下の態様の具体例であることが当業者により理解される。
【００４９】
（第１項）一態様に係るクロマトグラフィーシステム（１）は、
液体の試料（Ｑ）が通過する流路（１３）を有する装置本体（１１）と、前記流路（１３）の途中に配置され、前記試料（Ｑ）を複数の成分に分離する分析カラム（１２１）とを備え、複数の分析条件で前記試料（Ｑ）の分析が可能なクロマトグラフィーシステム（１）であって、
前記分析条件を複数設定する分析条件設定部（１４）と、
前記分析条件設定部（１４）で分析条件が設定された際、前記流路（１３）の途中に配置されている前記分析カラム（１２１）が、設定された分析条件に適合して使用され得るか否かの良否を判断する判断部（１５）とを備え、
前記判断部（１５）での判断結果が良の場合、前記設定された分析条件での前記分析の開始が可能となる。
【００５０】
第１項に記載のクロマトグラフィーシステムによれば、所定の分析条件で分析を行う際に、当該分析に先立って、判断部が分析カラムの良否の判断を行うことができる。そして、判断部での判断結果が良の場合には、当該分析の開始が可能となり、否の場合には、当該分析の開始が制限される。これにより、当該分析に適合した分析カラムを用いて、試料に対する分析を正確に行うことができ、よって、信頼性の高い分析結果が得られる。
【００５１】
（第２項）第１項に記載のクロマトグラフィーシステム（１）において、
前記装置本体（１１）に配置され、前記各分析条件下で使用されるべき前記分析カラム（１２１）に関する第１情報が記憶する第１記憶部（１６）と、
前記分析カラム（１２１）に付され、該分析カラム（１２１）の個体情報である第２情報が記憶する第２記憶部（１２２）とを備え、
前記判断部（１５）は、前記第１情報と前記第２情報とを比較して、前記良否の判断を行うことができる。
【００５２】
第２項に記載のクロマトグラフィーシステムによれば、これにより、分析カラムの良否の判断を容易に行うことができる。
【００５３】
（第３項）第２項に係るクロマトグラフィーシステム（１）において、
前記第２記憶部（１２２）は、前記判断部（１５）に対して電気的に着脱自在に接続されることができる。
【００５４】
第３項に記載のクロマトグラフィーシステムによれば、分析カラムが交換される度に、当該分析カラムの個体情報である第２情報に基づいて、分析カラムの良否判断を正確に行うことができる。
【００５５】
（第４項）第４項に係るクロマトグラフィーシステム（１）において、
前記第１情報を前記第１記憶部（１６）に記憶させるとともに、前記第２情報を前記第２記憶部（１２２）に記憶させる入力操作を行う入力部（１７）を備えることができる。
【００５６】
第４項に記載のクロマトグラフィーシステムによれば、各分析条件での第１情報と第２情報とを関係付けることができる。
【００５７】
（第５項）第５項に係るクロマトグラフィーシステム（１）において、
前記装置本体（１１）は、前記流路（１３）に前記分析カラム（１２１）を複数配置可能であり、
前記判断部（１５）は、前記所定の分析条件が設定された際、複数の前記分析カラム（１２１）うち、前記所定の分析条件下で使用される予定の全ての前記分析カラム（１２１）に対して、前記良否の判断を行うことができる。
【００５８】
第５項に記載のクロマトグラフィーシステムによれば、複数の分析カラムを用いる場合も、試料Ｑに対する分析を正確に行うことができる。また、使用しない分析カラムに対しては、良否判断を省略することができる。これにより、良否判断の処理速度を向上させることができる。
【００５９】
（第６項）第６項に係るクロマトグラフィーシステム（１）において、
前記判断部（１５）での判断結果を報知する報知部（１８）を備えることができる。
【００６０】
第６項に記載のクロマトグラフィーシステムによれば、判断部での判断結果を確認することができる。
【符号の説明】
【００６１】
１            クロマトグラフィーシステム
２            送液装置
４            オートサンプラ
６            カラムオーブン
８            検出器
１０          システム管理装置
１１          装置本体
１２          カラムユニット
１２Ａ        カラムユニット
１２Ｂ        カラムユニット
１２１        分析カラム
１２１Ａ      分析カラム
１２１Ｂ      分析カラム
１２２        第２記憶部
１２２Ａ      第２記憶部
１２２Ｂ      第２記憶部
１３          流路
１４          分析条件設定部
１５          判断部
１６          第１記憶部
１７          入力部
１８          報知部
１８１        液晶画面
１８２        フォーム
１９          切換え弁
Ｓ１０１〜Ｓ１０９  ステップ
Ｑ            試料（移動相）
【図１】
2020152814.tif 000003
【図２】
2020152814.tif 000004
【図３】
2020152814.tif 000005
【図４】
2020152814.tif 000006
【図５】
2020152814.tif 000007
【手続補正書】
【提出日】令和3年6月3日(2021.6.3)
【手続補正１】
【補正対象書類名】特許請求の範囲
【補正対象項目名】全文
【補正方法】変更
【補正の内容】
【特許請求の範囲】
【請求項１】
液体の試料が通過する流路を有する装置本体と、前記流路の途中に配置され、前記試料を複数の成分に分離する分析カラムとを備え、複数の分析条件で前記試料の分析が可能なクロマトグラフィーシステムであって、
前記装置本体に配置され、前記各分析条件下で使用されるべき前記分析カラムに関する第１情報を記憶する第１記憶部と、
前記分析カラムに付され、該分析カラムの個体情報である第２情報を記憶する第２記憶部と、
前記各分析条件での前記分析を行うのに際し、該分析に先行して、互いに異なる識別番号を発行し、１つの前記分析条件に関して、共通の前記識別番号を、前記第１記憶部に前記第１情報として入力して記憶させ、前記第２記憶部に前記第２情報として入力して記憶させる入力部と、
前記分析条件を複数設定する分析条件設定部と、
前記分析条件設定部で分析条件が設定された際、前記識別番号が一致しているか否かに基づいて、前記流路の途中に配置されている前記分析カラムが、設定された前記分析条件に適合して使用され得るか否かの良否を判断する判断部とを備え、
前記判断部での判断結果が良の場合、前記設定された分析条件での前記分析の開始が可能となるクロマトグラフィーシステム。
【請求項２】
前記第２記憶部は、前記判断部に対して電気的に着脱自在に接続される請求項１に記載のクロマトグラフィーシステム。
【請求項３】
前記装置本体は、前記流路に前記分析カラムを複数配置可能であり、
前記判断部は、前記所定の分析条件が設定された際、複数の前記分析カラムのうち、前記所定の分析条件下で使用される予定の全ての前記分析カラムに対して、前記良否の判断を行う請求項１または２に記載のクロマトグラフィーシステム。
【請求項４】
前記判断部での判断結果を報知する報知部を備える請求項１ないし３のいずれか１項に記載のクロマトグラフィーシステム。
【国際調査報告】
2020152814.tif 000008
2020152814.tif 000009
2020152814.tif 000010
2020152814.tif 000011